(57)【要約】      （修正有）【課題】水族館の照明を水族館の内部に設置し、水族館内部の照明を無線で作動させるだけでなく、照明の位置を無線で移動させることができる、無線照明水族館を提供する。【解決手段】磁気共鳴により、無線で水族館内部の照明装置の光を照らすだけでなく、照明装置の位置を水中の上下に移動させることができる。水中に沈潜した状態で浮かんでいる照明を演出することもでき、従来の水族館の照明方式よりも遥かに優れた審美的効果が得られるだけでなく、ろ過器等の付属機器も水中において磁場によって動くことができ、機能的効果の向上も得られる。【選択図】図１
2019126337.tif 000002
【特許請求の範囲】
【請求項１】
交流電源と連結された送信共振部が底面に設けられ、内部に水が満たされる水槽と、
前記水槽に満たされる水よりも比重が低く、水槽に照明を提供する照明装置、前記照明装置と連結された受信共振部、及び第１磁性体を有する照明浮力体と、を備え、
前記送信共振部から前記受信共振部に無線で電力を送信して、前記照明浮力体の照明装置を作動させ、前記送信共振部で発生する磁場に感応して、前記第１磁性体が引っ張られる引力（ａｔｔｒａｃｔｉｖｅ  ｆｏｒｃｅ）が発生し、前記送信共振部の引力の強さを前記照明浮力体の浮力の強さよりも相対的に大きくして、前記照明浮力体を水槽の下方向に移動させ、前記送信共振部の引力の強さを前記照明浮力体の浮力の強さよりも相対的に小さくして、前記照明浮力体を水槽の上方向に移動させる無線照明水族館。
【請求項２】
前記送信共振部の送信共振コイルの面と、前記受信共振部の受信共振コイルの面は、向かい合って平行に配置されていることを特徴とする請求項１に記載の無線照明水族館。
【請求項３】
前記送信共振部の周囲には、前記送信共振部により生成する磁場により磁化する少なくとも一つの第２磁性体が配置されていることを特徴とする請求項１に記載の無線照明水族館。
【請求項４】
前記水槽の一側面には、前記送信共振部と前記受信共振部との間の磁気共振を中継するためのコイルを内蔵した第１レピータ（ｒｅｐｅａｔｅｒ）が設けられていることを特徴とする請求項１に記載の無線照明水族館。
【請求項５】
前記送信共振部と前記受信共振部との間には、磁気共振を中継するためのコイルを内蔵した第２レピータが配置されていることを特徴とする請求項１に記載の無線照明水族館。
【請求項６】
前記水槽の内部には、受信共振部を有する温度調節器、気泡発生器、及びろ過器のうち少なくとも一つが配置されていることを特徴とする請求項１に記載の無線照明水族館。
【請求項７】
前記温度調節器、気泡発生器、またはろ過器は、水よりも比重が低く、第３磁性体をさらに有し、前記第３磁性体が前記送信共振部で発生する磁場に感応して、前記温度調節器、気泡発生器、またはろ過器が、前記送信共振部の磁場の強さの制御により、前記水槽の上下に移動することを特徴とする請求項６に記載の無線照明水族館。
【請求項８】
前記送信共振部の磁場の強さの制御を通じて、前記照明浮力体の磁性体に作用する磁力の強さを制御し、前記照明浮力体が前記水槽の水の一定の深さに潜水された状態に維持させることを特徴とする請求項１に記載の無線照明水族館。
【請求項９】
前記水槽の底面には、水中に浸かった前記照明浮力体が上方向に動くように、前記水槽の水に上昇力を供給する手段が配置されていることを特徴とする請求項１に記載の無線照明水族館。
【請求項１０】
前記照明浮力体には、水中で円滑に移動させるための少なくとも一つの推進手段が設けられていることを特徴とする請求項１に記載の無線照明水族館。
【発明の詳細な説明】
【技術分野】
【０００１】
本発明は、無線照明水族館に係り、さらに詳しくは、水族館内部の照明を無線で作動させるだけでなく、照明の位置を無線で移動させることができる、無線照明水族館に関する。
【背景技術】
【０００２】
一般に、水族館は、一般家庭や飲食店において海水や淡水を貯蔵した状態で、魚類や爬虫類（例えば、カメ）を育て、または一定期間の間保管する装置である。すなわち、内部空間が設けられた透明な材質の水槽内に水を満たし、魚類や爬虫類が住むようにし、場合によっては、前記水槽の内部に水中植物やランプ等も設置して、観賞用はもとより、魚類や爬虫類が住むのに適した環境を提供している。また、水族館の内部に熱帯魚を育てる場合は、金魚蜂の内部に別途にヒータを設置して、熱帯魚が住むのに適するように水の温度を合わせることもある。また、海に生息する魚類や爬虫類の場合、塩分濃度を随時にチェックして塩分濃度を調節してもよい。このため、水族館の内部には、各種の測定装置が設置され、これらの測定装置に電源を供給するための電線が水族館の内部に設けられるしかない。これにより、観賞魚が感電死したり、水族館を管理する使用者（管理人）が感電することも生じる。したがって、これに対する対応策が要求されている。
【０００３】
また、水族館の照明は、殆どが水族館の上部に設置されるが、水族館の内部（すなわち、水中）に設置されれば、遥かに優れた審美的効果が得られる。しかし、水族館の内部に設置された照明に電源を供給するために、水族館の内部に電線を設置すれば、上述のように感電の危険があり、管理することも難しいという問題点があった。
【０００４】
一方、特許文献１には、「水族館用照明の制御方法」が開示されているところ、これによる水族館用照明の制御方法は、全面がガラスからなって、内部が見えるように形成される水族館の蓋となる上面に、透明な管状からなる発光ダイオード照明灯を設置し、リモコンを操作しながら、制御部を通じて、赤色、緑色、青色の発光ダイオードをそれぞれ選択的に点灯させる赤色、緑色、青色の発光ダイオードの駆動部を制御するが、メニュー選択キーをオンするたびに、赤色−緑色−青色の自動照明、赤色＋緑色−緑色＋青色−青色＋赤色の自動照明、自動照明、白色照明、サイケデリックな照明、明るさの調節、パノラマのメニューを順次に選択可能にしたことを特徴としている。
【０００５】
このような特許文献１の場合、リモコンで操作する選択事項を伝達される制御部の制御により、固定色相の選択、赤色−緑色−青色の自動照明、赤色＋緑色−緑色＋青色−青色＋赤色の自動照明、自動照明、白色照明、サイケデリックな照明、明るさの調節、パノラマのような多様な照明効果が得られるかも知れないが、これもまた、従来の水族館の一般の照明装置と同様に、照明装置（発光ダイオード照明灯）が水族館の内部ではなく、水族館の外部である水族館の上部に設置される構成であるため、水族館の外部から得る審美的効果の限界を持っていた。
【先行技術文献】
【特許文献】
【０００６】
【特許文献１】大韓民国公開特許公報第１０−２００９−００４０１１７号（２００９．０４．２３．公開）
【発明の概要】
【発明が解決しようとする課題】
【０００７】
本発明は、上記問題点に鑑みなされたものであり、水族館の照明を水族館の内部に設置し、水族館内部の照明を無線で作動させるだけでなく、照明の位置を無線で移動させることができる、無線照明水族館を提供することを目的とする。
【課題を解決するための手段】
【０００８】
上記目的を達成するための本発明は、交流電源と連結された送信共振部が底面に設けられ、内部に水が満たされる水槽と、前記水槽に満たされる水よりも比重が低く、水槽に照明を提供する照明装置、前記照明装置と連結された受信共振部、及び第１磁性体を有する照明浮力体と、を備え、前記送信共振部から前記受信共振部に無線で電力を送信して、前記照明浮力体の照明装置を作動させ、前記送信共振部で発生する磁場に感応して、前記第１磁性体が引っ張られる引力（ａｔｔｒａｃｔｉｖｅ  ｆｏｒｃｅ）が発生し、前記送信共振部の引力の強さを前記照明浮力体の浮力の強さよりも相対的に大きくして、前記照明浮力体を水槽の下方向に移動させ、前記送信共振部の引力の強さを前記照明浮力体の浮力の強さよりも相対的に小さくして、前記照明浮力体を水槽の上方向に移動させる。
【０００９】
ここで、前記送信共振部の送信共振コイルの面と、前記受信共振部の受信共振コイルの面は、向かい合って平行に配置されてもよい。
【００１０】
好ましくは、前記送信共振部の周囲には、前記送信共振部により生成する磁場により磁化する少なくとも一つの第２磁性体が配置されてもよい。
【００１１】
好ましくは、前記水槽の一側面には、前記送信共振部と前記受信共振部との間の磁気共振を中継するためのコイルを内蔵した第１レピータ（ｒｅｐｅａｔｅｒ）が設けられてもよい。
【００１２】
好ましくは、前記送信共振部と前記受信共振部との間には、磁気共振を中継するためのコイルを内蔵した第２レピータが配置されてもよい。
【００１３】
好ましくは、前記水槽の内部には、受信共振部を有する温度調節器、気泡発生器、及びろ過器のうち少なくとも一つが配置されてもよい。
【００１４】
好ましくは、前記温度調節器、気泡発生器、またはろ過器は、水よりも比重が低く、第３磁性体をさらに有し、前記第３磁性体が前記送信共振部で発生する磁場に感応して、前記温度調節器、気泡発生器、またはろ過器が、前記送信共振部の磁場の強さの制御により、前記水槽の上下に移動させてもよい。
【００１５】
好ましくは、前記送信共振部の磁場の強さの制御を通じて、前記照明浮力体の磁性体に作用する磁力の強さを制御し、前記照明浮力体が前記水槽の水の一定の深さに潜水された状態に維持させてもよい。
【００１６】
好ましくは、前記水槽の底面には、水中に浸かった前記照明浮力体が上方向に動くように、前記水槽の水に上昇力を供給する手段が配置されてもよい。
【００１７】
好ましくは、前記照明浮力体には、水中で円滑に移動させるための少なくとも一つの推進手段が設けられてもよい。
【発明の効果】
【００１８】
本発明によれば、磁気共鳴により、無線で水族館内部の照明装置の光を照らすだけでなく、照明装置の位置を水中の上下に移動させることができる。また、水中に沈潜した状態で浮かんでいる照明を演出することもでき、従来の水族館の照明方式よりも遥かに優れた審美的効果が得られるだけでなく、ろ過器等の付属機器も水中において磁場に動くことができ、機能的効果の向上も得られる。
【図面の簡単な説明】
【００１９】
【図１】本発明に係る無線照明水族館の全体的な構成の一実施例を示す図である。
【図２】図１に示した無線照明水族館にレピータ、温度調節器、気泡発生器、ポンプ、制御器等がさらに設けられた状態を示す図である。
【図３】図２に示した無線照明水族館の電源供給及び通信概念を示す図である。
【図４】本発明に係る無線照明水族館の照明浮力体の構成の一実施例を示す図である。
【図５】本発明に係る無線照明水族館において、平板型磁性体が送信共振部の下側に設けられた例を示す図である。
【図６】本発明に係る無線照明水族館のろ過器の構成の一実施例を示す図である。
【発明を実施するための形態】
【００２０】
本明細書及び請求の範囲に使用された用語や単語は、通常的或いは辞典的である意味に限定して解釈されてはならず、発明者は、その自分の発明を最も最善の方法で説明するために用語の概念を適宜定義することができるという原則に基づき、本発明の技術的思想に符合する意味と概念に解釈されなければならない。
【００２１】
明細書の全体にわたって、ある部分がある構成要素を「含む」または「備える」というとき、これは、特に拘りがない限り、他の構成要素を除外するものではなく、他の構成要素をさらに含んでもよいことを意味する。また、明細書に記載された「…部」、「…器」、「モジュール」、「装置」等の用語は、少なくとも一つの機能や動作を処理する単位を意味し、これは、ハードウェア若しくはソフトウェアまたはハードウェア及びソフトウェアの結合として具現され得る。
【００２２】
以下、添付された図面を参照して、本発明の好適な実施例にについて詳述する。
【００２３】
ここで、本発明の実施例について説明するに先立って、本発明において採用される無線電力送信技術について簡略に説明する。
【００２４】
無線電力送信技術は、電源から負荷に電気エネルギーを無線で送信する。一般の無線電力送信システムは、送信共振部から受信共振部に電力を送信する。このとき、送信部と受信部は、無線で分離されている。
【００２５】
電源の交流は、送信共振部の共振コイルと受信共振部の共振コイルの磁気共振により、前記受信共振部に電力を供給することができる。ここで、両コイル間に共振回路を構成して磁気共振を形成すると、両コイルは、極めて強く相互作用するようになる。
【００２６】
以下では、このような無線電力送信技術に基づき、本発明の実施例について説明する。
【００２７】
図１乃至図３は、本発明の実施例に係る無線照明水族館を示すものであって、図１は、水族館の全体的な構成の一実施例を示す図であり、図２は、図１に示した無線照明水族館にレピータ、温度調節器、気泡発生器、ポンプ、制御器等がさらに設けられた状態を示す図であり、図３は、水族館の電源供給及び通信概念を示す図である。
【００２８】
図１乃至図３を参照すると、本発明に係る無線照明水族館１００は、上述したような無線電力送信方式を用いて、送信共振部から受信共振部に電力を供給して照明を駆動する無線照明水族館であって、大いに水槽１１０と照明浮力体１２０を含んで構成される。
【００２９】
水槽１１０は、その底面に交流電源と連結された送信共振部１１１を有し、内部には水１０５が満たされる。
【００３０】
照明浮力体１２０は、水槽１１０に満たされる水１０５よりも比重が低く、図４に示すように、水槽１１０に照明を提供する照明装置１２１と、照明装置１２１と連結された受信共振部１２２及び前記送信共振部１１１により生成する磁場に感応して磁化する第１磁性体１２３と、を含んで構成されてもよい。
【００３１】
このような本発明の無線照明水族館１００は、送信共振部１１１から受信共振部１２２に無線で電力を送信して、照明浮力体１２０の照明装置１２１を作動させ、送信共振部１１１により生成する磁場により、照明浮力体１２０の第１磁性体１２３に作用する磁力の強さを制御器１１９により制御することにより、照明浮力体１２０を水槽１１０の水中の上下に移動させることができる。さらに詳しく説明すると、送信共振部１１１が第１磁性体１２３を引っ張る磁力の強さを、照明浮力体１２０の浮力の強さよりも相対的に大きくして、照明浮力体１２０を水槽の下方向に移動させ、送信共振部１１１が第１磁性体１２３を引っ張る磁力の強さを、前記照明浮力体１２０の浮力の強さよりも相対的に小さくして、前記照明浮力体１２０を水槽の上方向に移動させることができる。
【００３２】
好ましくは、前記送信共振部１１１の周囲には、少なくとも一つの第２磁性体１１７が配置されてもよい。第２磁性体１１７が配置されると、送信共振部１１１により生成する磁場により第２磁性体１１７が磁化し、送信共振部１１１及び第２磁性体１１７の磁場に感応して、第１磁性体１２３が引っ張られる磁力が発生する。このような送信共振部１１１及び第２磁性体１１７の磁場により第１磁性体１２３が引っ張られる引力を、照明浮力体１２０の浮力の強さよりも相対的に大きくまたは小さく制御することにより、照明浮力体１２０を水槽１１０の上下に移動させることができる。
【００３３】
好ましくは、水槽１１０の一側面には、前記送信共振部と前記受信共振部との間の磁気共振を中継するためのコイルを内蔵した第１レピータ１１２が設けられてもよい。
【００３４】
また、前記水槽１１０の内部には、受信共振部を有する温度調節器１１３、気泡発生器１１４、ろ過器１１５のうち少なくとも一つが配置されてもよい。ここで、前記装置における送信共振部の共振コイルがいずれの方向を有しても、前記送信共振部１１１により電力受信が可能であるが、前記第１レピータ１１２または後述する第２レピータ１１８が設置されると、前記送信共振部１１１の共振が中継され、さらに広い範囲に遠くまで電力を受信するのに役立つ。また、前記ろ過器１１５は、水中の汚染物質をろ過するためのものであって、図６に示すように、ろ過器胴体１１５ｂと、受信共振部としての受信共振コイル１１５ｃとで構成されてもよい。
【００３５】
好ましくは、前記温度調節器１１３、気泡発生器１１４、またはろ過器１１５は、水よりも比重が低く、第３磁性体をさらに有し、前記第３磁性体が前記送信共振部１１１で発生する磁場に感応して、温度調節器１１３、気泡発生器１１４、またはろ過器１１５を、前記送信共振部の磁場の強さの制御により、前記水槽の上下に移動させることができる。照明浮力体１２０を移動させる原理と同様に、温度調節器１１３、気泡発生器１１４、またはろ過器１１５も、水槽１１０の内部で移動させることができる。このような移動により、ろ過器１１５が隅々まで移動すると、水槽１１０の内部の水をろ過させることにより、ろ過性能を高めることができ、温度調節器１１３を移動しながら調節することにより、速く温度を調節できる機能的効果の向上が得られる。また、気泡発生器１１４を移動させることにより、気泡発生部分が移動する審美的効果と、全体的に均一に気泡を発生させる機能的効果を発揮することができる。
【００３６】
また、前記水槽１１０の底面には、水中に浸かった前記照明浮力体１２０が水面に円滑に浮上するように、照明浮力体１２０を上方向に動かすため、水槽１１０の水に上昇力を与える手段を配置してもよい。ここで、水の上昇力を与える手段は、様々な手段を制限なく使用することができるが、ポンプ１１６を用いて上方向への水の上昇力を与えることが好ましい。
【００３７】
さらに詳述すると、小さな磁力でも照明浮力体１２０を移動させるためには、照明浮力体１２０の浮力を小さくしなければならないが、この場合は、浮力が弱くて、磁場により下に降りた照明浮力体１２０が再度水面に移動し難いことがある。このような場合、水族館の下部分に設置されたポンプ１１６を作動させて、上方向にポンピングすることにより、照明浮力体１２０を水中の下部分から上側の水面に移動させることができる。このとき、勿論、ポンプ１１６を上側方向ではなく、他の方向に作動させて、照明浮力体１２０を移動させてもよい。
【００３８】
また、前記照明装置１２１としては、一つの色相または多数の異なる色相別のＬＥＤが用いられてもよい。
【００３９】
また、前記送信共振部１１１の送信共振コイルと、前記受信共振部１２２の受信共振コイルは、向かい合って平行に配置されてもよい。すなわち、送信共振コイルは、水槽の底面に平らに配置されるので、受信共振コイルが水槽の底面に平行すると、送信共振コイルと受信共振コイルは、向かい合う構成となる。
【００４０】
また、前記送信共振部１１１の周囲には、送信共振部１１１により生成する磁場により磁化する少なくとも一つの第２磁性体１１７が配置されてもよい。これは、電磁石の原理を用いて、送信共振部１１１側がさらに強い磁力を有するようにするためのものであって、送信共振部１１１のコイルと接触しないながら、コイルの外部または内部のいずれの場所でも、第２磁性体１１７を配置することができ、好ましくは、コイルによる誘導がうまく行われる側に第２磁性体１１７が配置される。ここで、前記照明浮力体１２０の第１磁性体１２３と、送信共振部１１１の第２磁性体１１７は、磁場により磁化してから、磁場が消えると磁性がなくなる磁性体を用いることが好ましい。ここで、このような第２磁性体１１７は、図２に示すように、送信共振部１１１のコイルの周辺に所定の大きさの多数の第２磁性体１１７が設置される形態で構成されてもよく、図５に示すように、送信共振部１１１のコイルの下側に、一つの統合した平板型の第２磁性体１１７ｐが設置される形態（すなわち、平板型の第２磁性体１１７ｐの上面に送信共振部１１１のコイルが設置される形態）で構成されてもよい。
【００４１】
また、前記送信共振部１１１と前記受信共振部１２２との間には、磁気共振を中継するためのコイルを内蔵した第２レピータ１１８がさらに配置されてもよい。ここで、このような第２レピータ１１８は、送信共振部１１１の共振コイルと平行に配置されてもよいが、送信共振部１１１の共振コイルに対して所定の角度をなすように傾斜して配置されてもよい。このように傾斜して配置される場合、受信共振部１２２の共振コイルの配置自由度を高めることができる。また、好ましくは、前記第２レピータ１１８は、水と同一の透過率を有する材質（物質）で構成することにより、水中で透明に見える審美的効果が得られる。
【００４２】
また、前記水槽１１０の所定の部位には、前記送信共振部１１１を制御するための制御器１１９が設けられてもよい。
【００４３】
また、前記送信共振部１１１の制御を通じて、前記照明浮力体１２０の第１磁性体１２３に作用する磁力の強さを制御し、前記照明浮力体１２０を、前記水槽１１０の水の所定の深さに潜水された状態に維持させることができる。すなわち、送信共振部１１１で発生する磁場の制御を通じて、磁力の強さを一定の強さに維持すると、水族館（水槽）の中間に照明（照明浮力体１２０）を位置させることができる。
【００４４】
また、前記照明浮力体１２０には、照明浮力体１２０が水中で円滑に移動するように、少なくとも一つの推進手段が設けられてもよい。ここで、前記推進手段には制限がないが、水中で推進力を有するポンプを用いることが好ましい。前記推進手段は、上述した水族館（水槽）の下部分に設置されたポンプの作動と同一の原理であり、照明浮力体１２０に設置されたポンプは、受信共振コイルに連結され、電力を供給されながら作動される。
【００４５】
以上、本発明に係る無線照明水族館は、無線で水族館内部の照明装置の光を照らすだけでなく、照明装置の位置を水中の上下に移動させることができ、水中に沈降した状態で浮かんでいる照明を演出することもでき、従来の水族館の照明方式よりも遥かに優れた審美的効果が得られるという長所がある。
【００４６】
また、水族館内部に設置された照明装置に電源を供給する方式が、電線を用いた有線方式ではなく、無線電力送信方式を採用しているので、水槽内の観賞用魚類が感電死したり、水族館を管理する使用者（管理人）が感電する事態の発生を根本的に防止することができるという長所がある。
【００４７】
以上、好適な実施例を通じて、本発明について詳しく説明したが、本発明は、これに限定されるものではなく、本発明の技術的思想を逸脱しない範囲内で、多様な変更、応用が可能であることは、当該技術分野における通常の技術者にとって自明である。したがって、本発明の真正な保護範囲は、以下の請求の範囲により解釈されなければならず、それと同等の範囲内にある全ての技術的思想は、本発明の権利範囲に含まれるものと解釈されなければならない。
【符号の説明】
【００４８】
１００  （本発明）無線照明水族館
１１０  水槽
１１１  送信共振部
１１２  第１レピータ
１１３  温度調節器
１１４  気泡発生器
１１５  ろ過器
１１５ｂ  ろ過器胴体
１１５ｃ  受信共振コイル
１１６  ポンプ
１１７、１１７ｐ  第２磁性体
１１８  第２レピータ
１１９  制御器
１２０  照明浮力体
１２１  照明装置
１２２  受信共振部
１２３  第１磁性体
【図１】
2019126337.tif 000003
【図２】
2019126337.tif 000004
【図３】
2019126337.tif 000005
【図４】
2019126337.tif 000006
【図５】
2019126337.tif 000007
【図６】
2019126337.tif 000008